(57)【要約】      （修正有）【課題】硬すぎたり、繰り返しの使用で「へたり」を生じることがない建材畳床を提供する。【解決手段】複数枚重ねたタタミボード３の上に、発泡倍率が１５〜４５倍である無架橋のポリプロピレン樹脂発泡体を緩衝材４として積層し、緩衝材の厚さを５〜１０ｍｍとした建材畳床１とする。【選択図】図１
2010261184.tif 000002
【特許請求の範囲】
【請求項１】
建材畳床の表側において、
保護材の下でタタミボードの上に、発泡体からなる緩衝材を介在させたこと、
を特徴とする建材畳床。
【請求項２】
建材畳床の表側において、
クッション材の下で補強材の上に、発泡体からなる緩衝材を介在させたこと、
を特徴とする建材畳床。
【請求項３】
緩衝材は、無架橋ポリプロピレン型内成形発泡体を成形したものであること、
を特徴とする請求項１または２に記載の建材畳床。
【請求項４】
保護材の表層と、該表層の下に無架橋ポリプロピレン型内成形発泡体を成形した緩衝材とを配設して、これらを一体にしてなること、
を特徴とする置き畳。
【発明の詳細な説明】
【技術分野】
【０００１】
本発明は、緩衝性と耐久性等を向上させた建材畳床と置き畳に関するものである。
【背景技術】
【０００２】
従来、建材畳床として、図５に示すように、発泡樹脂層１１の上に補強材１２と緩衝材１３とが積層され、裏面材１４と一体にされたものが知られている（特許文献１参照）。これは、前記補強材１２として、紙およびプラスチックを原料とした成型ボードの畳床である。
【先行技術文献】
【特許文献】
【０００３】
【特許文献１】特開２００３−３０７０２４号公報
【発明の概要】
【発明が解決しようとする課題】
【０００４】
しかし、従来の建材畳床においては、畳床の加工時の切断加工性は良くなったが、依然として新調の段階で硬すぎると感じたり、繰り返し圧縮によりへたり込み、元に戻らず補強材の硬さを感じるようになったりする課題がある。本発明に係る建材畳床は、このような課題を解決するために提案されたものである。
【課題を解決するための手段】
【０００５】
本発明に係る建材畳床の上記課題を解決して目的を達成するための要旨は、建材畳床の表側において、保護材の下でタタミボードの上に、発泡体からなる緩衝材を介在させたことである。
また、建材畳床の表側において、クッション材の下で補強材の上に、発泡体からなる緩衝材を介在させたことである。
前記緩衝材は、無架橋ポリプロピレン型内成形発泡体を成形したものであることを含むものである。
【０００６】
本発明に係る置き畳の要旨は、保護材の表層と、該表層の下に無架橋ポリプロピレン型内成形発泡体を成形した緩衝材とを配設して、これらを逢着若しくは接着等の手段で一体にしてなることである。
【発明の効果】
【０００７】
本発明の建材畳床によれば、この畳床の表側にある保護材若しくはクッション材の下に、発泡体からなる緩衝材を介在させることで、保温性能が向上して人が座る場合に室内温度との差が低減されて快適さが確保される。また、緩衝性能の向上により長時間座るにも適し、転倒時の衝撃を緩和しケガの発生を低減させる。
前記緩衝材により適度な硬さと反発力や復元性が得られて、畳独特の柔らかさが確保され、従来の建材畳床より疲れが少ないものとなる。そして、畳の芯材の上で緩衝性を持たせるので、人の出入りの多いところでも、繰り返しの圧縮に耐えられ畳の芯材のへたりやへこみが出にくくなる。
更に、無架橋ポリプロピレン型内成形発泡体の緩衝材の上に不織布等の保護材を備えることで、縫着した時に生じる糸による発泡体への切り裂き現象を防止すると共に、前記保護材の持つ吸湿性や放湿性を活かすことができる。そして、軽量衝撃音の低減になるとともに寸法安定性が向上する。
また、本発明の置き畳により、畳表若しくは布，不織布等の保護材を表層として内部に前記緩衝材とする組み合わせで、薄肉であって型くずれせず、肌触りの良い簡易的な敷物となる。
【図面の簡単な説明】
【０００８】
【図１】本発明に係る建材畳床１の断面図である。
【図２】同本発明の実施例２に係る建材畳床１ａの断面図である。
【図３】同本発明の実施例３に係る建材畳床１ｂの断面図である。
【図４】同本発明の実施例４に係る建材畳床１ｃの断面図である。
【図５】従来例に係る建材畳床の断面図である。
【発明を実施するための形態】
【実施例１】
【０００９】
本発明に係る建材畳床１は、図１に示すように、ＪＩＳ  Ａ５９１４に規定の材料および構造による区分における建材畳床I形の表側において、保護材２の下であって且つタタミボード３の上に、発泡体からなりその厚さが５ｍｍ〜１０ｍｍ程度の緩衝材４を介在させたものである。符号５は、裏面材を示している。
【００１０】
建材畳床の構成および材料は、日本工業規格（ＪＩＳ）により、Ａ５９１４により規格されており、前記保護材２は、保護効果，クッション性および通気性をもち、虫害のない不織布若しくは保護紙などである。前記タタミボード３は、ＪＩＳ  Ａ５９０５に規定するタタミボード若しくはそれ以上のもので、厚さは例えば、５ｍｍ，７ｍｍ，１０ｍｍ，１５ｍｍ，２０ｍｍである。前記裏面材５は、シート状の強化用材料であり、ＪＩＳ  Ｚ１５３３に規定するテープヤーン１種又は２種で、クラフト紙３種に圧着したものか同等以上のものである。
【００１１】
前記緩衝材４は、無架橋のポリプロピレン型内成形発泡体を成形したものである（株式会社ＪＳＰ製のピーブロック相当品）。この緩衝材４の性質は、耐熱性，緩衝性，耐油性，耐薬品性，断熱性に優れたものである。発泡倍率は、例えば、１５倍〜４５倍程度である。また、製品の切断やスライス熱接着、抜き等の二次加工が容易である。更に、繰り返しの使用に耐えるものであり、「へたり」がないばかりか、黒煙が少なく有毒ガスも少なく焼却処理が容易である。  前記緩衝材４の諸性質を下記の表に示す。
【００１２】
2010261184.tif 000003
このような建材畳床１により、人に優しい、安心して生活できる快適な畳床となるものである。
【実施例２】
【００１３】
図２に示すように、同ＪＩＳ  Ａ５９１４に規定の建材畳床II形（タタミボード３とポリスチレンフォーム板３ａの２層）の表側において、保護材２の下でかつタタミボード３の上に、発泡体からなりその厚さが５ｍｍ程度の緩衝材４を介在させた建材畳床１ａとするものである。他は上記実施例１と同様である。
【実施例３】
【００１４】
図３に示すように、同ＪＩＳ  Ａ５９１４に規定の建材畳床III形（タタミボード３とポリスチレンフォーム板３ａの３層）の表側において、保護材２の下でかつタタミボード３の上に、発泡体からなりその厚さが５ｍｍ程度の緩衝材４を介在させた建材畳床１ｂとするものである。他は上記実施例１と同様である。
【実施例４】
【００１５】
図４に示すように、同ＪＩＳ  Ａ５９１４に規定の建材畳床Ｎ形（ポリスチレンフォーム板３ａを主な材料としたもので、裏面にかまち補強材がないもの、Ｋ形もほぼ同様）の表側において、保護材２の下でかつ補強材６の上に、発泡体からなりその厚さが５ｍｍ程度の緩衝材４を介在させた建材畳床１ｃとするものである。前記補強材６は、耐圧性を強化する板状の材料である。他は上記実施例１と同様である。
【００１６】
このように、無架橋のポリプロピレン型内成形発泡体を成形したものである（株式会社ＪＳＰ製のピーブロック相当品）を建材畳床の保護材（クッション材）の下に使用することで、従来にない、優れた諸性質を持つ建材畳床となり風土に適したくつろげる生活環境を提供するものである。
【００１７】
本発明に係る置き畳（図示せず）は、保護材としての例えば畳表や不織布等を表層として、その表層の下に前記無架橋ポリプロピレン型内成形発泡体を成形した緩衝材を配設して、これらを一体に逢着してなるものである。即ち、前記緩衝材に保護材を被せて、この緩衝材の側面と下面の一部を前記保護材のへりで被覆して、表層から裏層へと糸で縫いつけるものである。このほか、一体にする方法として、接着剤、例えば、アクリル樹脂系接着材（ピールアップタイプ：上下にずれたりするが、横にはずれない特性のもの、東リ株式会社製エコＧＡセメント等）で接着することでも可能である。
【００１８】
この置き畳の厚さは、例えば、５ｍｍ〜１０ｍｍ程度の薄いものである。この置き畳の大きさを種々用意することで、座布団等のような簡易的な敷物となったり、和室や洋間の床面に敷く敷物となったりするものである。
【産業上の利用可能性】
【００１９】
本発明に係る建材畳床１〜１ｃや置き畳を使用することで、あらゆる床材若しくは薄い敷物として使用できるものである。
【符号の説明】
【００２０】
１          建材畳床、              １ａ，１ｂ，１ｃ        建材畳床、
２          保護材、
３          タタミボード、    
３ａ        ポリスチレンフォーム板、
４          緩衝材、
５          裏面材、
６          補強材、
１１        発泡樹脂層、
１２        補強材、
１３        緩衝材、
１４        裏面材。
【図１】
2010261184.tif 000004
【図２】
2010261184.tif 000005
【図３】
2010261184.tif 000006
【図４】
2010261184.tif 000007
【図５】
2010261184.tif 000008